(57)【要約】【課題】  ラベルホルダの閉位置での保持を確実にして、ガタつきを防止し、ラベル連続体の送出を円滑にするとともに、安定して使用できるようにする。【解決手段】  上側に開放口２を有した本体１と、ラベル連続体ＬＡが巻回されたラベルロールＲを保持するとともに本体１に回動可能に支持されるラベルホルダ２０と、本体１に揺動軸３０を中心に揺動可能に設けられ揺動操作によりラベルロールＲからラベル連続体ＬＡを送出させてラベルＬに所要の印字を行わせるためのレバー５とを備え、本体１の側壁４間に支持軸Ｑを架設し、支持軸Ｑを揺動軸３０で構成し、ラベルホルダ２０に、その閉時に支持軸Ｑに係合する係合部４０を設け、係合部４０を、可撓性部材で形成し、支持軸Ｑの前側に係合する前側係合片４１と、支持軸Ｑの後側に係合する後側係合片４２とを備えて構成した。【選択図】  図１
2013075705.tif 000002
【特許請求の範囲】
【請求項１】
上側に開放口を有した空間を左右一対の側壁間に形成した本体と、ラベル連続体が巻回されたラベルロールを保持するとともに上記本体に回動可能に支持され回動により上記本体の開放口を開放する開位置及び上記本体の開放口を覆う閉位置の二位置に位置させられるラベルホルダと、上記本体に揺動軸を中心に揺動可能に設けられ揺動操作により上記ラベルロールから上記ラベル連続体を上記空間内の移送路に送出させて該ラベル連続体のラベルに所要の印字を行わせるためのレバーとを備えたハンドラベラにおいて、
上記本体の側壁間に支持軸を架設し、上記ラベルホルダに、該ラベルホルダの閉時に上記支持軸に係合してラベルホルダを閉位置に保持し上記ラベルホルダの開時に上記支持軸から離脱する係合部を設け、該係合部を、可撓性部材で形成し、上記支持軸の前側に係合する前側係合片と、上記支持軸の後側に係合する後側係合片とを備えて構成したことを特徴とするハンドラベラ。
【請求項２】
上記前側係合片及び後側係合片の少なくともいずれか一方を、上記支持軸の外面に略倣った弧面を備えて構成したことを特徴とする請求項１記載のハンドラベラ。
【請求項３】
上記係合部を支持軸の長手方向の中心に対して左右対称に形成したことを特徴とする請求項１または２何れかに記載のハンドラベラ。
【請求項４】
上記支持軸を上記レバーの揺動軸で構成したことを特徴とする請求項１乃至３何れかに記載のハンドラベラ。
【請求項５】
上記本体の側壁に、該ラベルホルダの閉時に互いに係止し該ラベルホルダの開時に互いに離脱する係止部及び被係止部のいずれか一方を形成し、上記ラベルホルダに、上記係止部及び被係止部のいずれか他方を形成したことを特徴とする請求項１乃至４何れかに記載のハンドラベラ。
【発明の詳細な説明】
【技術分野】
【０００１】
本発明は、例えば、スーパーマーケット等で価格等を表示したラベルをレバー操作により物品に貼付するハンドラベラに係り、特に、ラベル連続体が巻回されたラベルロールを保持するラベルホルダを備えたハンドラベラに関する。
【背景技術】
【０００２】
従来、この種のハンドラベラとしては、例えば、図５及び図６に示すように、本願出願人が先に提案したものが知られている（特表２０１０−５１１５７５号公報参照）。
このハンドラベラＨａは、上側に開放口１０１を有した空間１０２を左右一対の側壁１０３間に形成した本体１００と、ラベル連続体ＬＡが巻回されたラベルロールＲを保持するとともに本体１００に回動可能に支持され回動により本体１００の開放口１０１を開放する開位置Ｘ及び本体の開放口１０１を覆う閉位置Ｙの二位置に位置させられるラベルホルダ１０４と、本体１００に揺動軸１０５を中心に揺動可能に設けられ揺動操作によりラベルロールＲからラベル連続体ＬＡを空間１０２内の移送路に送出させてラベル連続体ＬＡのラベルＬに印字ヘッド１０５により所要の印字を行わせるためのレバー１０６とを備えて構成されている。
【０００３】
図６に示すように、ラベルホルダ１０４は、一方の側壁１０３（ａ）側の支持板１０７と、支持板１０７に基端が片持ち支持された巻芯保持軸１０８とを備えている。巻芯保持軸１０８の先端には、ラベルロールＲの側面を保持することができるスライド可能な脱落防止部材１０９が設けられている。また、本体１００の一方の側壁１０３（ａ）にはその開放口１０１の縁部で構成されＬ字状に折曲形成された係止部１１０が設けられる一方、ラベルホルダ１０４の下端にはラベルホルダ１０４の閉時に係止部１１０に係止しラベルホルダ１０４の開時に係止部１１０から離脱する突起からなる被係止部１１１が舌片１１２を介して設けられている。図５中、符号１１３は、本体１００に設けられたグリップ、１１４は本体１００の出口１１５から突出したラベルＬを物品（図示せず）に押圧する貼付ローラである。
【０００４】
ラベル連続体ＬＡは、帯状の台紙Ｄに複数のラベルＬを列設して仮着したもので、ロール状に巻回されてラベルロールＲとして装填される。このラベルロールＲの装填の際には、ラベルホルダ１０４を開位置Ｘに回動し、ラベルホルダ１０４に設けた巻芯保持軸１０８に装着し、ラベル連続体ＬＡの先端側を引き出して、空間１０２内部に挿入し、台紙ＤからのラベルＬを剥離する剥離板１１６で折り返して、台紙Ｄをこれに係合して移送する移送輪１１７に巻き掛け、後方の出口１１８に引き通す。それから、ラベルホルダ１０４を閉位置Ｙに回動する。閉位置Ｙでは、ラベルホルダ１０４は、ラベルホルダ１０４の被係止部１１１が本体１００の係止部１１０に係合することにより本体１００に保持される。
【０００５】
ラベルＬを物品に貼付するときは、グリップ１１３とともにレバー１０６を握持すると、レバー操作により印字ヘッド１０５が駆動させられて所要のラベルＬに印字を行い、レバー１０６を開放すると、移送輪１１７が回転させられてラベル連続体ＬＡが所要量引っ張られ、ラベルホルダ１０４に支持したラベルロールＲが回転してラベル連続体ＬＡが巻き戻されて送出される。これにより、剥離板１１６により台紙ＤからのラベルＬが剥離されて、本体１００の出口１１５から突出する。そして、レバー１０６を開放状態のままにして、突出したラベルＬを物品に接触させ、貼付ローラ１１４で押圧して、ラベルＬを貼付する。
【先行技術文献】
【特許文献】
【０００６】
【特許文献１】特表２０１０−５１１５７５号公報
【発明の開示】
【発明が解決しようとする課題】
【０００７】
ところで、上記従来のハンドラベラＨａおいて、その使用中には、ラベルホルダ１０４に支持したラベルロールＲが回転してラベル連続体ＬＡが送出されるが、ラベルホルダ１０４の被係止部１１１は一方の側壁１０３（ａ）側の係止部１１０に係止しているだけなのでラベルホルダ１０４が変形しやすく、巻芯保持軸１０８が撓んでガタついてしまうという問題があった。更にまた、ハンドラベラＨａは、その使用時には、比較的手荒に取り扱われることも多く、ハンドラベラＨａを落としてしまうこともしばしばあり、その場合には、ラベルホルダＨａの被係止部１１１が本体１００の係止部１１０から外れて、ラベルホルダ１０４が開位置Ｘに開き、ラベル連続体ＬＡが裂けて、再びセティングし直さなければならなくなる等の問題もあった。
【０００８】
本発明は上記の問題点に鑑みて為されたもので、ラベルホルダの閉位置での保持を確実にして、ガタつきを防止し、ラベル連続体の送出を円滑にするとともに、落下してもラベルホルダが本体から外れにくくし、安定して使用できるようにしたハンドラベラを提供することを目的とする。
【課題を解決するための手段】
【０００９】
上記課題を解決するため、本発明のハンドラベラは、上側に開放口を有した空間を左右一対の側壁間に形成した本体と、ラベル連続体が巻回されたラベルロールを保持するとともに上記本体に回動可能に支持され回動により上記本体の開放口を開放する開位置及び上記本体の開放口を覆う閉位置の二位置に位置させられるラベルホルダと、上記本体に揺動軸を中心に揺動可能に設けられ揺動操作により上記ラベルロールから上記ラベル連続体を上記空間内の移送路に送出させて該ラベル連続体のラベルに所要の印字を行わせるためのレバーとを備えたハンドラベラにおいて、
上記本体の側壁間に支持軸を架設し、上記ラベルホルダに、該ラベルホルダの閉時に上記支持軸に係合してラベルホルダを閉位置に保持し上記ラベルホルダの開時に上記支持軸から離脱する係合部を設け、該係合部を、可撓性部材で形成し、上記支持軸の前側に係合する前側係合片と、上記支持軸の後側に係合する後側係合片とを備えて構成している。
【００１０】
これにより、ラベルロールの装填の際には、ラベルホルダを開位置に回動し、ラベルホルダにラベルロールを装着し、ラベル連続体の先端側を引き出して、空間内部に挿入して、ラベル連続体のセッティングを行う。それから、ラベルホルダを閉位置に回動する。閉位置では、ラベルホルダは、ラベルホルダの係合部が支持軸に係合する。この場合、係合部は、その前側係合片が支持軸の前側に係合し、後側係合片が支持軸の後側に係合するので、支持軸を挾持するようになる。
そして、ラベルを物品に貼付するときは、レバー操作により所要のラベルに印字を行うとともにラベル連続体を送出し、ハンドラベラを持ったまま印字されたラベルを物品に貼付する。この場合、ラベルホルダに支持したラベルロールからラベル連続体が送出されるが、係合部は、前側係合片及び後側係合片で支持軸を挾持しているので、ラベル連続体の送出によって、前後にラベルホルダが変形して動こうとしてもその動きを規制することができ、そのため、ガタつきを防止して、ラベル連続体の送出を円滑に行わせることができるようになる。また、ハンドラベラは、その使用時には、比較的手荒に取り扱われることも多く、ハンドラベラを落としてしまうこともしばしばあり、その場合には、ラベルホルダが開位置に開こうとすることがあるが、係合部は、前側係合片及び後側係合片で支持軸を挾持しているので、支持軸から外れにくくなっており、そのため、ラベルホルダが開位置に開きにくく、安定して使用できるようになる。
【００１１】
そして、必要に応じ、上記前側係合片及び後側係合片の少なくともいずれか一方を、上記支持軸の外面に略倣った弧面を備えて構成している。係合片が弧面に形成されるので、支持軸の外面に沿うことから、より一層ガタつきを防止することができるとともに、支持軸から外れにくくすることができる。
【００１２】
また、必要に応じ、上記係合部を支持軸の長手方向の中心に対して左右対称に形成した構成としている。支持軸に対して左右対称になるので、支持のバランスが良くなり、加重応力が均等に分散するので偏りがなく、この点でも、より一層ガタつきを防止することができるとともに、支持軸から外れにくくすることができる。
【００１３】
更に、必要に応じ、上記支持軸を上記レバーの揺動軸で構成している。支持軸を別途設けなくても、レバーの揺動軸で兼用できるので、部品点数を節約できる。また、揺動軸は比較的強度が高いので耐久性も安定する。
【００１４】
また、必要に応じ、上記本体の側壁に、該ラベルホルダの閉時に互いに係止し該ラベルホルダの開時に互いに離脱する係止部及び被係止部のいずれか一方を形成し、上記ラベルホルダに、上記係止部及び被係止部のいずれか他方を形成した構成としている。支持軸と係合部との係合に加えて、係止部と被係止部との係止によってもラベルホルダを押さえるので、より一層ガタつきを防止することができるとともに、係合部を支持軸から外れにくくすることができる。
【発明の効果】
【００１５】
本発明によれば、ラベルホルダの閉位置では、係合部は、前側係合片及び後側係合片で支持軸を挾持するので、ラベル連続体の送出によって、前後にラベルホルダが変形して動こうとしてもその動きを規制することができ、そのため、ガタつきを防止して、ラベル連続体の送出を円滑に行わせることができるようになる。また、ハンドラベラは、その使用時には、比較的手荒に取り扱われることも多く、ハンドラベラを落としてしまうこともしばしばあり、その場合には、ラベルホルダが開位置に開こうとすることがあるが、係合部は、前側係合片及び後側係合片で支持軸を挾持しているので、支持軸から外れにくくなっており、そのため、ラベルホルダが開位置に開きにくく、安定して使用できるようになる。
【図面の簡単な説明】
【００１６】
【図１】本発明の実施の形態に係るハンドラベラを示す側面断面図である。
【図２】本発明の実施の形態に係るハンドラベラの要部を示す斜視図である。
【図３】本発明の実施の形態に係るハンドラベラにおいてラベルホルダの閉位置の状態を示す正面図である。
【図４】本発明の実施の形態に係るハンドラベラにおいてラベルホルダを示し、（ａ）は開位置の状態を示す側面図、（ｂ）は閉位置の状態を示す側面図である。
【図５】従来のハンドラベラの一例を示す側面図である。
【図６】従来のハンドラベラにおいてラベルホルダの閉位置の状態を示す正面図である。
【発明を実施するための形態】
【００１７】
以下、添付図面に基づいて、本発明の実施の形態に係るハンドラベラについて説明する。図１乃至図４に示すように、本発明の実施の形態に係るハンドラベラＨは、裏面に粘着剤層を有した台紙なしラベルＬ（ノンセパ（登録商標）ラベル、ライナレスラベルなどとも言われる）に印字を行って発行するものであり、台紙なしラベルＬが列設された帯状のラベル連続体ＬＡがロール状に巻回されたラベルロールＲが装着される。図３に示すように、ラベル連続体ＬＡにおいてラベルＬとラベルＬとの間には、後述の移送輪１０に設けられた爪１１が係合する切り込みＫが形成されている。
【００１８】
本発明の実施の形態に係るハンドラベラＨは、上側に開放口２を有した空間３を左右一対の側壁４間に形成した本体１と、ラベルロールＲを保持するとともに本体１に回動可能に支持され回動により本体１の開放口２を開放する開位置Ｘ及び本体１の開放口２を覆う閉位置Ｙの二位置に位置させられるラベルホルダ２０と、本体１に揺動軸３０を中心に揺動可能に設けられ揺動操作によりラベルロールＲからラベル連続体ＬＡを空間３内の移送路に送出させてラベル連続体ＬＡのラベルＬに所要の印字を行わせるためのレバー５とを備えている。揺動軸３０は、図３に示すように、本体１の側壁４間に架設されて空間３に露出しており、レバー５を回動可能に支持するとともに後述の支持軸Ｑとして構成されている。本体１にはレバー５とともに把持するグリップ６が設けられている。
【００１９】
本体１内において、図１に示すように、ラベル連続体ＬＡの移送路には、ラベル連続体ＬＡが引き通されてガイドされるガイド孔７を有したガイド部材８が設けられている。レバー５はガイド部材８を囲繞して揺動可能になるようにヨーク状に形成されている。また、ガイド部材８の後流側には、図示外の駆動機構を介して回転させられる移送輪１０が設けられている。移送輪１０には、ラベル連続体ＬＡの切り込みＫに係合してラベル連続体ＬＡを移送する爪１１が等角度関係で突設されている。また、本体１内には、移送輪１０によって移送されるラベル連続体ＬＡを支持するとともに、移送輪１０に連動して駆動されラベル連続体ＬＡを出口に移送する移送機構１２が設けられている。移送機構１２は、ラベル連続体ＬＡの裏面を支承して移送するエンドレスベルト１３と、エンドレスベルト１３が架け渡される一対のベルトローラ１４と、ベルトローラ１４の両端を軸支するとともにエンドレスベルト１３の裏面を支持するプラテンフレーム１５とを備えている。尚、移送輪１０はプラテンフレーム１５の後側に回動可能に支持されており、移送機構１２とともに本体１に対して一体になってヒンジ機構により開閉可能になっている。
また、レバー５の先端には、レバー５のグリップ６側への握持操作により、プラテンフレーム１５に対して進出しエンドレスベルト１３上の所要のラベルＬに印字を行う印字ヘッド１６が設けられている。本体１に設けたラベルＬの出口１７には、出口１７から突出したラベルＬを物品に押圧する貼付ローラ１８が設けられている。
【００２０】
ラベルホルダ２０は、樹脂で形成されており、本体１のグリップ６の基端に設けられた回動軸２１に軸支された基端部２２（図４）と、基端部２２に一体に且つ本体１の一方の側壁４（ａ）に設けられた支持板２３と、支持板２３に基端が片持ち支持されラベルロールＲを保持する巻芯保持軸２４とを備えている。巻芯保持軸２４の先端にはラベルロールＲの側面を保持することができるスライド可能な脱落防止部材２５（図１）が設けられている。支持板２３のグリップ６側には巻芯保持軸２４に装着されたラベルロールＲを覆う半円弧状の覆い板２６が設けられている。
【００２１】
本体１の側壁４間には空間３に露出した支持軸Ｑが架設されている。実施の形態では支持軸Ｑは揺動軸３０で構成されている。ラベルホルダ２０には、ラベルホルダ２０の閉時に支持軸Ｑに係合してラベルホルダ２０を閉位置Ｙに保持しラベルホルダ２０の開時に支持軸Ｑから離脱する係合部４０が設けられている。係合部４０は可撓性の樹脂部材であり、覆い板２６に一体形成されている。係合部４０は、支持軸Ｑの前側（ラベルホルダ２０の開方向前側）に係合する前側係合片４１と、支持軸Ｑの後側（ラベルホルダ２０の開方向後側）に係合する後側係合片４２とを備えて、断面略Ｕ字状に構成されている。前側係合片４１及び後側係合片４２の少なくともいずれか一方、実施の形態では前側係合片４１は、支持軸Ｑの外面に略倣った弧面を備えて構成されている。後側係合片４２は、支持軸Ｑの接線方向に延びる平面を備えて構成されている。また、係合部４０は、図３に示すように、支持軸Ｑの長手方向の中心Ｐに対して左右対称に形成されている。後側係合片４２の支持軸Ｑの軸方向長さＭ１は、前側係合片４１の軸方向長さＭ２よりも長く形成されており、後側係合片４２を長くすることで支持軸Ｑに係合した際のガタつき防止が図れるようになっている。
【００２２】
また、図２及び図３に示すように、本体１の一方の側壁４（ａ）には、ラベルホルダ２０の閉時に互いに係止しラベルホルダ２０の開時に互いに離脱する係止部４３及び被係止部４４のいずれか一方が形成され、ラベルホルダ２０には、係止部４３及び被係止部４４のいずれか他方が形成されている。即ち、本体１の支持板２３がある側の側壁４（ａ）にはその開放口２の縁部で構成されＬ字状に折曲形成された係止部４３が設けられる一方、ラベルホルダ２０の支持板２３の下端にはラベルホルダ２０の閉時に係止部４３に係止しラベルホルダ２０の開時に係止から離脱する突起からなる被係止部４４が設けられている。
【００２３】
従って、この実施の形態に係るハンドラベラＨを使用するときは、以下のようにする。先ず、図１及び図４（ａ）に示すように、ラベルロールＲの装填の際には、ラベルホルダ２０を開位置Ｘに回動する。この場合、ラベルホルダ２０は樹脂製で可撓性なので、前側係合片４１及び後側係合片４２からなる略Ｕ字状の係合部４０は支持軸Ｑ（揺動軸３０）から離脱するとともに、被係止部４４が係止部４３から外れる。この状態で、ラベルホルダ２０にラベルロールＲを装着し、図１に示すように、ラベル連続体ＬＡの先端側を引き出して、空間３内部に挿入して、さらに、ガイド部材８のガイド孔７に挿通し、レバー５を複数回握持すると、移送輪１０及びエンドレスベルト１３上を通して出口１７側に搬送されラベル連続体ＬＡのセッティングが行われる。
尚、移送輪１０及び移送機構１２は、ラベル連続体ＬＡが移送不良、いわゆるジャムリを起こしたときや保守点検などのときに、本体１に対して開閉されるようになっている。
【００２４】
それから、図１，図３及び図４（ｂ）に示すように、ラベルホルダ２０を閉位置Ｙに回動する。閉位置Ｙでは、ラベルホルダ２０の係合部４０が支持軸Ｑに係合する。この場合、係合部４０は、その前側係合片４１が支持軸Ｑの前側に係合し、後側係合片４２が支持軸Ｑの後側に係合するので、支持軸Ｑを挾持するようになる。また、被係止部４４が係止部４３に係止される。
【００２５】
そして、ラベルＬを物品に貼付するときは、グリップ６とともにレバー５を握持すると、レバー５操作により印字ヘッド１６が駆動させられて所要のラベルＬに印字を行い、レバー５を開放すると、移送輪１０が回転させられるとともに移送機構１２のエンドレスベルト１３が駆動されてラベル連続体ＬＡが所要量移送される。これにより、ラベルＬが本体１の出口１７から突出する。そして、レバー５を開放状態のままにして、突出したラベルＬを物品に接触させ、貼付ローラ１８で押圧して、ラベルＬを貼付する。
【００２６】
この場合、ラベルホルダ２０に支持したラベルロールＲからラベル連続体ＬＡが送出されるが、係合部４０は、前側係合片４１及び後側係合片４２で支持軸Ｑを挾持しているので、ラベル連続体ＬＡの送出によって、前後にラベルホルダ２０が変形して動こうとしてもその動きを規制することができ、そのため、ガタつきを防止して、ラベル連続体ＬＡの送出を円滑に行わせることができるようになる。また、ハンドラベラＨは、その使用時には、比較的手荒に取り扱われることも多く、ハンドラベラＨを落としてしまうこともしばしばあり、その場合には、ラベルホルダ２０が開位置Ｘに開こうとすることがあるが、係合部４０は、前側係合片４１及び後側係合片４２で支持軸Ｑを挾持しているので、支持軸Ｑから外れにくくなっており、そのため、ラベルホルダ２０が開位置Ｘに開きにくく、安定して使用できるようになる。
【００２７】
また、この場合、前側係合片４１は、支持軸Ｑの外面に略倣った弧面を備えて構成されているので、支持軸Ｑの外面に沿うことから、より一層ガタつきを防止することができるとともに、支持軸Ｑから外れにくくすることができる。更に、係合部４０は、支持軸Ｑの長手方向の中心Ｐに対して左右対称に形成されているので、支持のバランスが良くなり、加重応力が均等に分散するので偏りがなく、この点でも、より一層ガタつきを防止することができるとともに、支持軸Ｑから外れにくくすることができる。更にまた、支持軸Ｑはレバー５の揺動軸３０で構成されているので、支持軸を別途設けなくても、レバー５の揺動軸３０を兼用できるので、部品点数を節約できる。また、揺動軸３０は比較的強度が高いので耐久性も安定する。
【００２８】
そしてまた、本体１の側壁４（ａ）に設けた係止部４３とラベルホルダ２０に設けた被係止部４４とが係止しているので、支持軸Ｑと係合部４０との係合に加えて、係止部４３と被係止部４４との係止によってもラベルホルダ２０を押さえるので、より一層ガタつきを防止することができるとともに、係合部４０を支持軸Ｑから外れにくくすることができる。
【００２９】
尚、上記実施の形態において、前側係合片４１及び後側係合片４２の形状は上述したものに限定されるものではなく、両者を円弧面を備えて構成してよい。また、前側係合片４１及び後側係合片４２を軸方向に沿って複数設けてよい。尚また、本発明は、台紙なしラベルＬ用のハンドラベラＨに適用したが、必ずしもこれに限定されるものではなく、従来のように台紙付きのラベル連続体用のハンドラベラに適用してもいことは勿論である。
【符号の説明】
【００３０】
Ｈ  ハンドラベラ
Ｌ  ラベル
ＬＡ  ラベル連続体
Ｒ  ラベルロール
Ｋ  切り込み
１  本体
２  開放口
３  空間
４  側壁
５  レバー
６  グリップ
７  ガイド孔
８  ガイド部材
１０  移送輪
１１  爪
１２  移送機構
１６  印字ヘッド
１７  出口
１８  貼付ローラ
２０  ラベルホルダ
Ｘ  開位置
Ｙ  閉位置
２１  回動軸
２２  基端部
２３  支持板
２４  巻芯保持軸
２５  脱落防止部材
２６  覆い板
３０  揺動軸
Ｑ  支持軸（揺動軸３０）
４０  係合部
４１  前側係合片
４２  後側係合片
４３  係止部
４４  被係止部
【図１】
2013075705.tif 000003
【図２】
2013075705.tif 000004
【図３】
2013075705.tif 000005
【図４】
2013075705.tif 000006
【図５】
2013075705.tif 000007
【図６】
2013075705.tif 000008